(57)【特許請求の範囲】
【請求項１】
誘導レールで囲まれてなる遊技球の流下する遊技領域が形成された遊技盤と、
前記遊技盤が取り付けられる遊技機枠と、
前記遊技領域へ遊技球を発射する発射手段と、を備え、
前記遊技機枠は、前記遊技領域を視認可能とする窓部を備え、
前記遊技盤には、前記窓部から表示画面を視認できるよう表示装置が着脱可能に取り付けられている遊技機であって、
前記表示装置を着脱したことを示す表示部が、遊技者が前記窓部から視認可能に設けられるとともに、
前記遊技領域を流下する遊技球が前方を通過しないように、前記表示部が、前記誘導レールで囲まれた前記遊技領域における前記遊技球の侵入しないエリアに設けられ、
前記表示装置が取り外されると、取り外されたことを示す痕跡部が該表示装置に形成されるよう構成されるとともに、前記表示部が、前記痕跡部であり、
前記表示装置の前記遊技盤への取り付けは、前記表示装置側と前記遊技盤側との相互の封止部を締結することにより行い、かつ、前記表示装置の遊技盤からの取り外しは、前記表示装置側の封止部を切除して行う構成として、
前記表示装置側の封止部の周囲には、切除された前記表示装置側の封止部のスペースを塞ぎ可能に、突出部材が、付勢されて配設され、
前記表示部としての前記痕跡部が、切除された前記表示装置側の封止部のスペースを塞ぐ前記突出部材により、構成されていることを特徴とする遊技機。
【発明の詳細な説明】
【技術分野】
【０００１】
本発明は、表示装置を備えた遊技機に関する。
【背景技術】
【０００２】
従来より遊技機は、演出装置として液晶表示装置を備えて構成され、該液晶表示装置を利用して、装飾図柄変動演出や大当たり演出などの種々の画像演出を実行している。液晶表示装置は、遊技盤に対して着脱可能に設けられており、遊技盤から取り外されたあと再び遊技盤に取り付けられて使用されることがある（下記特許文献１参照）。
【先行技術文献】
【特許文献】
【０００３】
【特許文献１】特開２００３−１９０４９４号公報
【発明の概要】
【発明が解決しようとする課題】
【０００４】
上記遊技機では、遊技機に使用されている液晶表示装置が、遊技盤から取り外されたことのあるものであるのか否かを、遊技者が認識することはできなかった。液晶表示装置は、種々の遊技盤に対して長期にわたって使用されると、新しいものと比べて画質が悪くなることがある。そのため、画質が悪くなった液晶表示装置を搭載した遊技機の遊技者が、遊技中の機械は不正に改造されているものではないかと、不信感を抱くおそれがあった。
【０００５】
そこで、本発明は上記事情に鑑み、遊技盤から取り外されたことのある液晶表示装置を使用していても、遊技者に対して不信感を抱かせない遊技機の提供を目的とする。
【課題を解決するための手段】
【０００６】
本発明の遊技機は、誘導レールで囲まれてなる遊技球の流下する遊技領域が形成された遊技盤と、前記遊技盤が取り付けられる遊技機枠と、前記遊技領域へ遊技球を発射する発射手段と、を備え、前記遊技機枠は、前記遊技領域を視認可能とする窓部を備え、前記遊技盤には、前記窓部から表示画面を視認できるよう表示装置が着脱可能に取り付けられている遊技機であって、前記表示装置を着脱したことを示す表示部が、遊技者が前記窓部から視認可能に設けられるとともに、前記遊技領域を流下する遊技球が前方を通過しないように、前記表示部が、前記誘導レールで囲まれた前記遊技領域における前記遊技球の侵入しないエリアに設けられ、前記表示装置が取り外されると、取り外されたことを示す痕跡部が該表示装置に形成されるよう構成されるとともに、前記表示部が、前記痕跡部であり、前記表示装置の前記遊技盤への取り付けは、前記表示装置側と前記遊技盤側との相互の封止部を締結することにより行い、かつ、前記表示装置の遊技盤からの取り外しは、前記表示装置側の封止部を切除して行う構成として、前記表示装置側の封止部の周囲には、切除された前記表示装置側の封止部のスペースを塞ぎ可能に、突出部材が、付勢されて配設され、前記表示部としての前記痕跡部が、切除された前記表示装置側の封止部のスペースを塞ぐ前記突出部材により、構成されていることを特徴とする。
【０００７】
本発明によれば、表示部により表示装置が着脱されたものであることを遊技者に対して認識させることができるので、例えば長期にわたり使用されて画質の悪くなった表示装置となっていても、遊技者に対して不信感を与えるのを防ぐことができる。また、表示部前方を遊技球が通過しないので、表示部が遊技球により隠れて遊技者から見難くなったり、表示部に遊技球が接して汚れたりするのを防ぐことができる。
【０００８】
ここで、本発明の遊技機では、前記表示装置が取り外されると、取り外されたことを示す痕跡部が該表示装置に形成されるよう構成することができる。これによれば、痕跡部により取外しの有無を確認できるので、確実に表示部を設けることができる。
【０００９】
また、本発明の遊技機では、前記表示部は、前記痕跡部である構成とすることができる。これによれば、痕跡部とは別に表示部を設ける必要がないので、容易に表示部を設けることができる。
【発明の効果】
【００１０】
本発明によれば、表示部により表示装置が着脱されたものであることを遊技者に対して認識させることができるので、例えば長期にわたり使用されて画質の悪くなった表示装置となっていても、遊技者に対して不信感を与えるのを防ぐことができる。
【図面の簡単な説明】
【００１１】
【図１】本発明の実施形態に係るパチンコ遊技機の正面図である。
【図２】同実施形態のパチンコ遊技機が備える遊技盤の前面側の分解斜視図である。
【図３】同実施形態のパチンコ遊技機が備える遊技機枠の斜視図である。
【図４】同実施形態のパチンコ遊技機を背面側から見た斜視図である。
【図５】同実施形態のパチンコ遊技機が備える遊技盤の後面側の分解斜視図である。
【図６】（ａ）（ｂ）は同実施形態のパチンコ遊技機が備える液晶ユニットを示す斜視図である。
【図７】液晶ユニットの分解斜視図である。
【図８】（ａ）（ｂ）は図５に示すVIII−VIII断面図であり、液晶ユニットを液晶ベースに対してかしめる手順を示す図である。
【図９】（ａ）（ｂ）は図５に示すIＸ−IＸ断面図であり、液晶ユニットの液晶ベースに対するかしめを解除する手順を示す図である。
【図１０】実施形態のパチンコ遊技機の要部拡大正面図であり、（ａ）は遊技盤から取り外されたことのない液晶ユニットを備える遊技機を示し、（ｂ）は遊技盤から取り外されたことのある液晶ユニットを備える遊技機を示している。
【図１１】本発明の第１の変更例に係るパチンコ遊技機の要部拡大正面図であり、（ａ）は遊技盤から取り外されたことのない液晶ユニットを備える遊技機を示し、（ｂ）は遊技盤から取り外されたことのある液晶ユニットを備える遊技機を示している。
【図１２】（ａ）は本発明の第２の変更例に係るパチンコ遊技機の要部拡大正面図であり、（ｂ）は本発明の第３の変更例に係るパチンコ遊技機の要部拡大正面図である。
【発明を実施するための形態】
【００１２】
本発明の実施形態に係るパチンコ遊技機について、図面に基づいて説明する。図１は、本発明の実施形態のパチンコ遊技機の正面図である。図１に示すように、実施形態のパチンコ遊技機１は、遊技機枠３０と、遊技機枠３０の内側に嵌められた遊技盤２とを備え、遊技盤２には、発射ハンドル装置３４の操作により発射された遊技球が流下する遊技領域３が、誘導レール７で囲まれて形成されている。遊技領域３には、遊技盤２の前面側に配される遊技盤面部材として、複数の遊技釘、遊技用風車、ゲート８の他、各入賞口（第１始動口５１ａ、第２始動口５１ｂ、大入賞口７１、及び普通入賞口９１）を構成する入賞装置（第１始動入賞装置５０、第２始動入賞装置５２、大入賞装置７０、及び普通入賞装置９０）が配設されている。
【００１３】
ここで、本明細書中、上下方向および左右方向は、図１に示す遊技盤２の前面側（遊技領域３側）を基準とし、また、前後方向は、遊技盤２の前面側（遊技領域３側）を前方とし、遊技盤２の裏面側を後方とする。
【００１４】
遊技領域３の略中央部には、液晶表示装置４の表示画面４ａが配置され、液晶表示装置４の前方には、センター役物装置４０が配置されている。液晶表示装置４は、客待ち用のデモ表示、装飾図柄変動演出、大当たり遊技に並行して行われる大当たり演出などを表示画面４ａに表示する。装飾図柄変動演出は、数字等の装飾図柄と装飾図柄以外の演出画像とにより構成されて、変動表示を経て停止表示された装飾図柄により、大当たり抽選（即ち、大当たり乱数の取得とその大当たり乱数を用いた判定）の結果を報知する演出である。この装飾図柄変動演出は、後述する特別図柄変動に並行して行われる。また、大当たり抽選は、遊技球の第１始動口５１ａまたは第２始動口５１ｂへの入賞に基づいて行われる。
【００１５】
図２は、遊技盤２の前面側の分解斜視図である。図２に示すように、遊技盤２は、前面側に、センター役物装置４０、第１始動入賞装置５０、第２始動入賞装置５２、大入賞装置７０、普通入賞装置９０、ゲート８、表示器配置部材１２、及び飾り部材４１を配設させている。
【００１６】
遊技盤２は、透光性を有する合成樹脂（実施形態ではアクリル）により無色透明な略矩形の板状に形成され、遊技盤２の前面から後方を透視可能に構成されている。遊技盤２の中央部には、センター役物装置４０が配置される貫通孔２ａがルーター加工により形成されている。また、第１始動入賞装置５０、第２始動入賞装置５２、大入賞装置７０、普通入賞装置９０、及び、ゲート８を配置するための各貫通孔も、ルーター加工により遊技盤２に形成されている。なお、遊技盤２の前面には、誘導レール７が取着され、遊技領域３が形成されている。
【００１７】
第１始動入賞装置５０は、遊技球の入球し易さが常時変わらない第１始動口５１ａを備える。第２始動入賞装置５２は、第２始動口５１ｂを備える。第２始動口５１ｂは、開閉部材５５により開閉される。開閉部材５５は、第２始動口ソレノイド（図示せず）により駆動され、開閉部材５５が開いているときのみ第２始動口５１ｂへの遊技球の入賞が可能となる。なお、第２始動入賞装置５２には、遊技領域３の範囲を決める遊技領域形成部５６、および普通入賞装置９０が設けられている。
【００１８】
大入賞装置７０は、第１始動入賞装置５０の下方に配置されるもので、大入賞口７１を備えている。大入賞口７１は、開閉部材７２により開閉される。開閉部材７２は、大入賞口ソレノイド（図示せず）により駆動される。大当たり抽選の結果大当たりに当選した場合には、開閉部材７２が開かれ、大入賞口７１への遊技球の入賞が可能となる。
【００１９】
飾り部材４１は、遊技領域３の左端部に誘導レール７に沿って配置されるもので、誘導レール７に沿って湾曲したプレート部４２と、プレート部４２から前方へ突設された上流側区画壁部４３および下流側区画壁部４４と、上流側区画壁部４３と下流側区画壁部４４の間のプレート部４２に設けられた普通入賞装置９０と、下流側区画壁部４４の下部近傍のプレート部４２に設けられた普通入賞装置９０とを備えて構成されている。上流側区画壁部４３によって形成される内部空間４３ａ、および、下流側区画壁部４４によって形成される内部空間４４ａは、遊技領域３を流下する遊技球が進入できないエリアとなっている。すなわち、上流側区画壁部４３と下流側区画壁部４４は、遊技領域３の範囲を決める遊技領域形成部として機能する。
【００２０】
普通入賞装置９０は、センター役物装置４０の周りに複数配置されるもので、各普通入賞装置９０に入った遊技球は、その普通入賞装置９０内の普通入賞口９１に入賞する。また、遊技球が上から下へ通過可能なゲート８は、センター役物装置４０の右方に配置される。
【００２１】
表示器配置部材１２は、遊技盤２の前面右上側に取着されて、遊技領域３の範囲を決めるとともに、各種図柄表示器（普通図柄表示器１３、第１特別図柄表示器１４ａ、第２特別図柄表示器１４ｂ）や保留ランプ（普通図柄保留ランプ１５、第１特別図柄保留ランプ１６ａ、第２特別図柄保留ランプ１６ｂ）を、前方から目視可能に収納するものである。
【００２２】
第１特別図柄表示器１４ａ、第２特別図柄表示器１４ｂは、それぞれ、遊技球の第１始動口５１ａ、第２始動口５１ｂへの入賞を契機として行われる大当たり抽選の結果を、変動表示を経て停止表示された図柄（特別図柄）により報知する（これを「特別図柄変動」という）ものである。第１特別図柄表示器１４ａ、第２特別図柄表示器１４ｂに停止表示された図柄（特別図柄）が大当たり図柄又は小当たり図柄であれば、大入賞口７１を所定回数開閉する当たり遊技が行われる。
【００２３】
特別図柄の変動表示中または当たり遊技中に、遊技球が第１始動口５１ａまたは第２始動口５１ｂに入賞すると、主制御基板２０（図５参照）は、その入賞に対して取得した大当たり乱数等の乱数を、第１始動口５１ａへの入賞であれば第１保留記憶部（図示せず）に、第２始動口５１ｂへの入賞であれば第２保留記憶部（図示せず）に、保留記憶として記憶する。そして、特別図柄変動を実行可能になったときに、記憶しておいた保留記憶に基づいて大当たりか否かの判定を行い、特別図柄変動を実行する。
【００２４】
第１特別図柄保留ランプ１６ａ、第２特別図柄保留ランプ１６ｂは、それぞれ、第１保留記憶部（図示せず）、第２保留記憶部（図示せず）に記憶されている保留記憶の個数を表示するものである。なお、第１保留記憶部（図示せず）、第２保留記憶部（図示せず）に記憶される保留記憶の個数は、それぞれ４個が上限とされているため、第１保留記憶部（図示せず）に４個の保留記憶がある状態で遊技球が第１始動口５１ａに入賞したときや、第２保留記憶部（図示せず）に４個の保留記憶がある状態で遊技球が第２始動口５１ｂに入賞したときは、その入賞に対して大当たり乱数等の乱数は取得されない。
【００２５】
普通図柄表示器１３は、ゲート８への遊技球の通過を契機として行われる普通図柄抽選の結果を、変動表示を経て停止表示される普通図柄により報知するものである。停止表示された普通図柄が当たり図柄であれば、所定時間及び所定回数、第２始動入賞装置５２の開閉部材５５を開く補助遊技が行われる。
【００２６】
普通図柄の変動表示中または補助遊技中に、遊技球がゲート８を通過すると、主制御基板２０（図５参照）は、その通過に対して取得した当たり乱数を記憶する。そして、普通図柄の変動表示を開始可能な状態になったときに、記憶しておいた当たり乱数を用いて当たりか否かの判定を行い、普通図柄の変動表示を開始して、その判定結果を示す普通図柄を停止表示する。普通図柄保留ランプ１５は、このように記憶されている当たり乱数の個数を表示するものである。なお、記憶される当たり乱数は４個が上限とされているため、４個の当たり乱数が記憶されている状態で遊技球がゲート８を通過しても、その通過に対する当たり乱数の取得は行われない。
【００２７】
図３は、実施形態のパチンコ遊技機１が備える遊技機枠３０を示す斜視図である。図３に示すように、遊技機枠３０は、外枠３１と内枠３２とガラス扉枠３３とを備えている。また、遊技機枠３０は、左端部にヒンジ部３６を備えて構成され、ヒンジ部３６により、ガラス扉枠３３は、外枠３１および内枠３２に対してそれぞれ回動自在に連結され、内枠３２は、外枠３１およびガラス扉枠３３に対してそれぞれ回動自在に連結されている。外枠３１は、パチンコ遊技機１の外郭部となる枠体であり、内枠３２は、遊技盤２が取り付けられる枠体であり、ガラス扉枠３３は、遊技盤面を保護するとともに発射ハンドル装置３４などが配設される枠体である。内枠３２は、合成樹脂製とされ、前方から見て中央が貫通された略長方形の枠形状とされている。遊技盤２は、内枠３２に対して前方から取り付けられる。内枠３２に取り付けられた遊技盤２は、図示しない係止部材で、内枠３２から外れないよう係止される。ガラス扉枠３３は、遊技盤２の前面に形成される遊技領域３を視認可能な透視窓として、ガラス板（窓部に相当する）３５を備えている。また、ガラス扉枠３３には、枠ランプ１７、スピーカ１８、及び、演出ボタン２８が配設されている（図１参照）。なお、図示を省略するが、ガラス扉枠３３に配設される発射ハンドル装置３４は、回動ハンドル、タッチセンサ、発射ボリュームを備え、回動ハンドルへの接触がタッチセンサにより検知されると、発射ボリュームにより検知された回動ハンドルの回動操作量に応じた強度で遊技球を発射させるものである。球受け皿６（図１参照）内にある遊技球は、発射ハンドル装置３４の操作に基づいて、一球ずつ発射位置へと移動されて、回動ハンドルの回動操作量に応じた強度で槌部材により叩かれ、誘導レール７に沿って発射されることとなる。
【００２８】
図４は、遊技機枠３０の内部に遊技盤２を取り付けた状態でのパチンコ遊技機１の背面側を示す斜視図である。図４に示すように、内枠３２は、上部に、ホール設備からの遊技球を一時貯留しておくタンクレール３７を有するとともに、左側部に、タンクレール３７内の遊技球を球受け皿６（図１参照）へ送る払出装置３８、および払出装置３８から球受け皿６へ遊技球を誘導する受け皿誘導桶３９を有している。また、内枠３２の下部には、払出制御基板を覆った払出制御基板ケース２１、および電源基板を覆った電源基板ケース２２が配されている。遊技機枠３０の内部に遊技盤２を取り付けた状態では、後述する主基板ケース６０の左端部６０ａが、受け皿誘導桶３９に近接するため、主基板ケース６０を左方向（後述する液晶ユニットケース８５からの取外し方向）へスライドさせることはできなくなっている。
【００２９】
図５は、パチンコ遊技機１が備える遊技盤２の背面側を示す概略分解斜視図である。図５に示すように、パチンコ遊技機１は、遊技盤２と、遊技盤２の裏面２ｂ側に取り付けられる液晶ベース４５と、液晶ベース４５の外表面（後面）４５ａに組み付けられる液晶ユニット８４と、液晶ユニット８４の後面８４ａ側に組み付けられる主基板ケース６０と、主基板ケース６０に取り付けられるコネクタカバー５９とを備えている。図５に示すように、遊技盤２は、前後方向にくりぬかれた中央部（貫通孔２ａ）に、後方から液晶ベース４５を配置させ、さらにその後方から液晶ユニット８４を配置させる。
【００３０】
液晶ベース４５は、液晶ユニット８４を遊技盤２に取り付ける際の土台となるものであり、無色透明の合成樹脂材料（例えば、透明なポリカーボネート等）から形成されている。液晶ベース４５は、遊技盤２の裏面２ｂ側の略全域を覆うことができるよう前方側を開口させた略箱形状とされ、液晶表示装置４の表示画面４ａ（図６（ａ）参照）を遊技盤２の中央部から前方へ臨ませるための開口部４６ａを、後壁部４６に備えている。また、液晶ベース４５は、後壁部４６の左端部に液晶ユニット８４を組み付けるための被係止部４７，４７を備えている。
【００３１】
また、液晶ベース４５は、周壁部４８の前縁から外方へ延設されたフランジ部４９を備えており、フランジ部４９を遊技盤２の裏面２ｂ側の周縁部に締結されることにより、遊技盤２に取り付けられる。この締結には、ネジなどの締結手段が利用される。液晶ベース４５が遊技盤２に取り付けられることにより液晶ベース４５と遊技盤２との間に形成される内部空間には、作動すると液晶表示装置４の表示画面４ａ前方へ可動体を露出させる可動役物装置（いわゆるギミック、図示せず）が格納される。
【００３２】
主基板ケース６０は、図５に示すように、主制御基板（遊技制御基板）２０を収納する主基板ケース本体６１と、主基板ケース本体６１を回動可能に支持する台座プレート７４とを備えて構成され、内部に収納した主制御基板２０が外部から視認できるように、無色透明なポリカーボネート等の合成樹脂により形成されている。
【００３３】
主基板ケース本体６１は、前方側の底側ケース６２と後方側の蓋側ケース６３とを備えて略箱形状に構成されるとともに、左縁側の上部に、封止部６４（６４ａ，６４ｂ）を備えて構成されている。主基板ケース本体６１は、底側ケース６２と蓋側ケース６３との間に主制御基板２０を収納して、図示しない係合部を係合させることにより閉塞され、封止部６４を利用して開放不能に封止される。封止部６４は、蓋側ケース６３の蓋側封止部６４ａと底側ケース６２の底側封止部６４ｂとに跨るように、金属製のカシメ片６７を圧入することにより、主基板ケース本体６１を開放不能に封止するものである。
【００３４】
台座プレート７４は、下端部に、主基板ケース本体６１を回動可能に軸支する支持軸（図示せず）を備えている。主基板ケース本体６１は、蓋側ケース６３の下端に設けられた軸支用係合部（図示せず）を支持軸（図示せず）に係合させることにより、台座プレート７４に対して、下方へ向かって略９０度まで回動可能に取り付けられる。これにより、主基板ケース６０がパチンコ遊技機１に組み付けられたままでも、主制御基板２０の裏面（実装面２０ａの反対側の面）を視認できるようになっている。なお、主基板ケース本体６１は、台座プレート７４の上端部に設けられた係止フック７７に係止されることにより、通常時は回動を規制されている（図４参照）。
【００３５】
また、台座プレート７４の前面側には、後述する液晶ユニットケース８５の後面下部に形成された係止孔７９，７９，７９（図６（ｂ）参照）に、主基板ケース６０を係止するための係止片７８，７８，７８が設けられている。主基板ケース６０は、係止片７８，７８，７８を係止孔７９，７９，７９に挿通させ、液晶ユニットケース８５に対して取付方向（右方）へ移動させて液晶ユニットケース８５に引っ掛けることにより、液晶ユニット８４に組み付けられる。なお、主基板ケース６０を液晶ユニットケース８５に組み付けると、台座プレート７４の右端上部に設けられた係合片８０が、液晶ユニットケース８５に設けられた係合孔８１（図６（ｂ）参照）に係合し、主基板ケース６０が取外し方向（左方）へずれるのが規制される。
【００３６】
主基板ケース６０に収納される主制御基板２０は、裏面（実装面２０ａの反対側の面）を底側ケース６２側に向けて、蓋側ケース６３に固定されて、主基板ケース本体６１に収納される。主制御基板２０は、大当たり抽選（即ち、大当たり乱数の取得とその大当たり乱数を用いた判定）や遊技状態の移行など主に利益に関わる制御を行うものである。主制御基板２０には、第１始動口５１ａや第２始動口５１ｂに入賞した遊技球を検知する始動口ＳＷ（スイッチ）、大当たり遊技中に大入賞口７１を開口させる大入賞口ソレノイド、大入賞口７１に入賞した遊技球を検知する大入賞口ＳＷなどの電子部品が接続されるとともに、遊技の進行に伴って各種の演出を実行し制御するための演出制御基板や画像制御基板２３（図６（ｂ）参照）などの制御基板類が、中継基板を介して接続される。
【００３７】
主制御基板２０の下端部には、これらの制御基板類や電子部品を接続するためのコネクタ２０ｂが複数実装されている。各コネクタ２０ｂは、主制御基板２０が主基板ケース本体６１に収納されている状態においては、蓋側ケース６３の下端部に形成された開口部から主基板ケース本体６１の外部へ露出される。主基板ケース本体６１の外部へ露出された各コネクタ２０ｂには、ハーネスの一端側に設けられた外部コネクタが接続される。このコネクタ２０ｂに接続される外部コネクタを取り外すことができないようにするため、主基板ケース６０には、コネクタカバー５９が取り付けられる。なお、このハーネスの他端側のコネクタには、演出制御基板や画像制御基板２３などの各種制御基板が接続された中継基板や、始動口ＳＷや大入賞口ＳＷなどの電子部品が接続される。
【００３８】
液晶ユニット８４は、図６，７に示すように、いわゆる装飾図柄変動演出やモード演出、大当たり演出を表示画面４ａに表示する液晶表示装置４と、液晶表示装置４を制御するためのＭＣＵ（Micro Controller Unit）を実装した画像制御基板２３などの制御基板類と、これらを覆う有色透明の合成樹脂からなる液晶ユニットケース８５と、を備えている。
【００３９】
液晶ユニットケース８５は、図７に示すように、前カバー８６、中カバー８７、後カバー８８から構成され、前カバー８６と中カバー８７によって液晶表示装置４を覆い、中カバー８７と後カバー８８とによって画像制御基板２３などの制御基板類を覆っている。前カバー８６は、液晶表示装置４の表示画面４ａを前方へ臨ませるための開口を有した枠型のカバーである。前カバー８６の内側には、液晶表示装置４の表示画面４ａを保護するための透明の合成樹脂プレート８９が嵌められ、その後方から液晶表示装置４が嵌められる。中カバー８７は、液晶表示装置４の後面側全域を覆うものであり、周縁部に設けられた係止爪８７ａを前カバー８６に係止させるとともに、周縁部を前カバー８６にビス止めすることにより、前カバー８６に締結される。中カバー８７の背面側には、画像制御基板２３を含む制御基板類が配置され、後カバー８８により覆われる。後カバー８８は、内部に制御基板類を収納可能な略箱形状とされ、周縁部を中カバー８７に対してビス止めされることにより中カバー８７に締結される。なお、図示を省略するが、液晶表示装置４に接続されたハーネスは中カバー８７に設けられた孔８７ｂを通って画像制御基板２３に接続される。
【００４０】
前カバー８６（枠型カバーともいう）は、図６（ａ），図７に示すように、左フレーム９４の上部および下部にクリップ機構（係止手段）９５，９５を備えている。液晶ユニット８４は、図５に示すように、このクリップ機構（係止手段）９５，９５を液晶ベース４５の被係止部４７，４７に係止させることにより、液晶ベース４５に対して組み付けられ固定される。なお、液晶ユニット８４を液晶ベース４５に組み付けた状態では、液晶表示装置４の表示画面４ａは、液晶ベース４５の開口部４６ａに位置され、遊技盤２の前面側から視認可能とされる。
【００４１】
また、前カバー８６は、図６，７に示すように、左フレーム９４の上下方向における略中央部に、封止手段９６および痕跡表示手段９８を備えている。封止手段９６は、クリップ機構９５，９５を被係止部４７，４７に係止させることにより液晶ユニット８４を液晶ベース４５に取り付けた後で、液晶ユニット８４を液晶ベース４５に対して取り外し不能に締結するものである。具体的には、封止手段９６は、図５に示すように、液晶ユニット８４の前カバー８６に配設されるユニット側封止部１０２と、液晶ベース４５の左端部に配設されるベース側封止部１１２とを備え、両封止部１０２，１１２を相互に締結することにより、液晶ユニット８４を液晶ベース４５に対して取り外し不能に締結するものである。
【００４２】
ユニット側封止部１０２は、図５及び図８（ａ）に示すように、ホルダ部１０３と、かしめピン１０８とを備え、前カバー８６の左端部に設けられた略長方形枠形状のユニット側収納部１０１内に配設されている。
【００４３】
ホルダ部１０３は、図６（ａ）及び図８（ａ）に示すように、略円筒形状に形成され、ユニット側収納部１０１の左壁部１０１ａと右壁部１０１ｂとに対して、外周面１０３ａから板状の連結片部１０５，１０６を伸ばして連結支持されている。また、ホルダ部１０３には、図８（ａ）に示すように、かしめピン１０８が嵌挿される嵌挿孔１０４が形成されている。嵌挿孔１０４は、ホルダ部１０３を前後方向に貫通して形成されており、後方側から順に、六角柱穴状の大径部１０４ａと、大径部１０４ａより小径の円柱穴状の中径部１０４ｂと、中径部１０４ｂより小径の円柱穴状の小径部１０４ｃとにより構成され、小径部１０４ｃには、後述するかしめピン１０８の軸部１０９ｂが嵌挿される。
【００４４】
かしめピン１０８は、金属製とされ、図８（ａ）に示すように、ピン本体１０９と支持リング１１０とを備えている。ピン本体１０９は、後端側の円板状の頭部１０９ａと、頭部１０９ａから前方に延びる小径円柱状の軸部１０９ｂとを備えている。軸部１０９ｂは、外径寸法ｄを嵌挿孔１０４の小径部１０４ｃの内径寸法Ｄと略等しくして形成されており、かしめピン１０８は、ホルダ部１０３に摺動可能に保持されている。軸部１０９ｂの先端部１０９ｃには、環状溝が設けられて、円板状の支持リング１１０が嵌められている。支持リング１１０は、主基板ケース１０を液晶ユニット８４に取り外し不能に締結する際、ホルダ部１０３と後述するベース側封止部１１２の嵌合部１１３との間で位置規制されて、内周縁を軸部１０９ｂの外周面に食い込ませ、かしめピン１０８が引き抜かれるのを規制する。
【００４５】
一方、ベース側封止部１１２は、図５及び図８（ａ）に示すように、かしめピン１０８が嵌挿される嵌合部１１３を備え、液晶ベース４５の左端部に設けられた略長方形枠形状のベース側収納部１１１内に配設されている。
【００４６】
嵌合部１１３は、ホルダ部１０３の形状にあわせて略円筒形状に形成され、図８（ａ）に示すように、後方側だけに開口して前方側に延びる嵌合孔１１４を備えている。嵌合孔１１４は、ピン本体１０９の先端部１０９ｃ側を圧入可能な小径部１１４ｂと、小径部１１４ｂの開口周縁に配設されて、支持リング１１０を収納可能な大径部１１４ａとを備えている。嵌合孔１１４の小径部１１４ｂの内径寸法は、嵌挿孔１０４の小径部１０４ｃの内径寸法Ｄと略一致する。また、嵌合部１１３は、図８（ａ）に示すように、ベース側収納部１１１の左壁部１１１ａと、ベース側収納部１１１の右壁部１１１ｂとに対して、外周面１１３ａから連結片部１１５，１１５を伸ばすとともに、ベース側収納部１１１に対して板部１１６を伸ばして、液晶ベース４５に連結支持されている。
【００４７】
液晶ベース４５を液晶ユニット８４に締結するには、図８（ａ）（ｂ）に示すように、かしめピン１０８を、ホルダ部１０３から嵌合部１１３に跨がるように押し込んでかしめ、軸部１０９ｂを、ホルダ部１０３の小径部１０４ｃと嵌合部１１３の小径部１１４ｂとに跨がるように配置して、ユニット側封止部１０２とベース側封止部１１２とを締結する。これにより、液晶ユニット８４の移動が規制され、液晶ユニット８４は液晶ベース４５に対して取り外し不能に締結される。したがって、ユニット側封止部１０２を破壊等して液晶ベース４５と液晶ユニット８４との封止（すなわち、液晶ユニット８４と液晶ベース４５との取り外し不能な締結）を解除しない限り、液晶ユニット８４を液晶ベース４５から取り外すことは不可能とされる。なお、ホルダ部１０３の嵌挿孔１０４には、液晶ベース４５への締結後にかしめピン１０８を引き抜くことができないように、後方からキャップ１１７が外れ不能に嵌入される。
【００４８】
液晶ユニット８４を液晶ベース４５から取り外す場合には、ホルダ部１０３から延びる二本の連結片部１０５，１０６を分断して（図８（ｂ）二点鎖線参照）、ユニット側封止部１０２の連結を断った後、図９（ｂ）に示すように、ユニット側封止部１０２を後方（取外方向）へ移動させて、かしめピン１０８を嵌合孔１１４から引き抜く。これにより、液晶ユニット８４と液晶ベース４５との封止が解除され、液晶ユニット８４を液晶ベース４５から外すことが可能となる。このように、液晶ユニット８４を液晶ベース４５から取り外す場合には、ユニット側封止部１０２を切除しなければならず、この切除により、後述する痕跡表示手段９８が変位することとなる。
【００４９】
痕跡表示手段９８は、図５及び図９（ａ）に示すように、圧縮コイルばね１３９により付勢した突出部材１３３と、突出部材１３３を係止する係止部１４２とを備え、ユニット側封止部１０２が切除されることにより形成されるスペースＳ（図９（ｂ）参照）を突出部材１３３により閉塞して、液晶表示装置４が取り外されたことの痕跡となるものである。具体的には、前カバー８６は、左フレーム９４における上下方向の中央部に、上方から順に、突出部材１３３を収納する収納部１３０と、ユニット側封止部１０２と、突出部材１３３を係止する係止部１４２とを備えている。収納部１３０には、図９（ａ）に示すように、下側を開口させた上下方向に長い収納孔部１３１が形成されている。収納孔部１３１には、突出部材１３３が収納されている。突出部材１３３は下方から順に、クリップ部（被係止部）１３４と、突出部材本体部１３６と、座部１３７とを備えている。クリップ部１３４は、左右方向に撓み可能な撓み片部１３５，１３５を有している。突出部材本体部１３６は、略四角柱形状とされている。座部１３７は、略平板状に形成され、左右方向の幅寸法を収納孔部１３１の左右方向の幅寸法と略同一の寸法で形成されている。これにより、突出部材１３３の左右方向のずれが規制されている。座部１３７の上端１３７ａには、圧縮コイルばね１３９の一端１３９ａが固定されている。圧縮コイルばね１３９の他端１３９ｂは、収納孔部１３１のばね座１３１ａに固定されている。突出部材１３３は、収納状態では、圧縮コイルばね１３９を圧縮して、クリップ部１３４の先端部１３４ａをユニット側封止部１０２（ホルダ部１０３）の外周面１０３ａに当接させて、下方への突出を規制されている。
【００５０】
係止部１４２には、図９（ａ）に示すように、上方側を開口させた係止孔部１４３が形成されている。係止孔部１４３は、ユニット側封止部１０２の取外し時に突出部材１３３のクリップ部１３４が進入する部位である。係止孔部１４３の開口部１４４は、係止孔部１４３の孔本体部１４５よりも狭い開口寸法で形成されており、係止孔部１４３の開口側には、クリップ部１３４の撓み片部１３５，１３５の上端１３５ａ，１３５ａを係止する係止面１４６，１４６が形成されている。
【００５１】
なお、実施形態では、突出部材１３３は、赤色などの目立つ色彩で着色され、収納部１３０を含む前カバー８６は、透明なポリカーボネート等の合成樹脂材により形成されている。そのため、前カバー８６の外部からでも突出部材１３３の状態が十分に確認できるようになっている。なお、突出部材１３３は、破断冶具を用いて破壊されないように、鉄などの金属製とすることが望ましい。
【００５２】
ここで、前カバー８６からユニット側封止部１０２を取り外したときの痕跡表示手段９８の動作について説明する。図９（ａ）に示す状態から、ユニット側封止部１０２の連結片部１０５，１０６を切断して（図８（ｂ）二点鎖線参照）、ユニット側封止部１０２を後方へ引き抜けば、突出部材１３３は、下方への突出規制が解除されるため、図９（ｂ）に示すように、圧縮コイルばね１３９の復元力に基づいて突出する。このとき、クリップ部１３４は、撓み片部１３５，１３５を撓ませながら係止孔部１４３の開口部１４４を通過し、係止孔部１４３の孔本体部１４５に進入する。そして、クリップ部１３４は、先端部１３４ａを係止孔部１４３の壁面１４３ａに当接させた後、撓み片部１３５，１３５の端部１３５ａ，１３５ａを係止面１４６，１４６に係止させて、抜け不能に保持される。これにより、突出部材１３３は、図９（ｂ）及び図１０（ｂ）に示す状態、すなわち、突出部材本体部１３６がユニット側封止部１０２の配設されていたスペースＳを上下方向に横断するように跨って配置された状態で保持される。
【００５３】
このように実施形態のパチンコ遊技機１によれば、液晶ユニット８４を液晶ベース４５から取り外すためには前カバー８６からユニット側封止部１０２を取り除く必要があり、前カバー８６からユニット側封止部１０２を取り除くと、ユニット側封止部１０２のあったスペースＳを突出部材本体部１３６が塞ぐこととなるので、ユニット側封止部１０２を再び元の位置に戻すことができなくなるとともに、突出部材１３３が移動していることが、液晶ユニット８４を液晶ベース４５から取り外したことの痕跡として残ることとなる。よって、実施形態のパチンコ遊技機１によれば、突出部材１３３の状態を視認することにより、液晶表示装置４が取り外されたことのあるものであるか否かを容易に確認することができる。
【００５４】
図１０は、パチンコ遊技機１の正面から遊技盤２を透して痕跡表示手段９８を視認した様子を示したものである。実施形態では、ガラス扉枠３３に設けられたガラス板３５、遊技盤２に配された飾り部材４１、遊技盤２、および液晶ベース４５（図５参照）が、痕跡表示手段９８よりも前方に位置しているが、これらの各部材は、前方から後方を視認可能な透明部材により形成されているので、パチンコ遊技機１の正面からでも液晶ユニット８４に設けられた痕跡表示手段９８を視認することができるようになっている。具体的には、飾り部材４１における上流側区画壁部４３の内部空間４３ａの後方に、痕跡表示手段９８が位置し、遊技者から視認可能となっている。このように痕跡表示手段９８が上流側区画壁部４３の内部空間４３ａの後方に位置しているため、遊技領域３を流下する遊技球が、痕跡表示手段９８の前方を通過することはない。
【００５５】
液晶ユニット８４が液晶ベース４５から一度も取り外されていない場合には、図１０（ａ）に示すように、ユニット側封止部１０２が切除されておらず、突出部材１３３が収納部１３０内にある状態で、痕跡表示手段９８が視認される。これにより、遊技者は、遊技しているパチンコ遊技機が一度も取り外されたことのない液晶表示装置４を使用しているものであることがわかる。一方、液晶ユニット８４が液晶ベース４５から取り外されたことがあるものである場合は、図１０（ｂ）に示すように、ユニット側封止部１０２が切除されており、突出部材１３３がユニット側封止部１０２のあったスペースＳへ突出している状態で、痕跡表示手段９８が視認される。これにより、遊技者は、遊技しているパチンコ遊技機が少なくとも一度は取り外されたことのある液晶表示装置４を使用しているものであることがわかる。なお、図１０（ｂ）に示すように、封止手段９６による封止を解除した状態で、ユニット側封止部１０２の配設されていたスペースＳに露出するのは、突出部材本体部１３６のみである。このようにクリップ部１３４や座部１３７等を外部に露出させないことにより、不意に突出部材１３３の係止が解除されて、液晶表示装置４を取り外したことの痕跡が消えてしまうことがないようにしている。
【００５６】
なお、液晶ベース４５に一度取り付けられ封止手段９６により取り外し不能に締結された液晶ユニット８４が、封止手段９６による締結を解除されて、液晶ベース４５から取り外される場合としては、例えば、ホールから遊技盤２を回収して、遊技盤２（液晶ベース４５）から液晶ユニット８４を取り外し、画像制御基板２３を別の種類の遊技機用の画像制御基板に換えて、別の種類のパチンコ遊技機の液晶表示装置として別の遊技盤（液晶ベース）に取り付ける場合がある。このような場合には、再び封止手段９６による締結を行うことはできないが、パチンコ遊技機の正面からは図１０（ｂ）に示す状態が目視されることとなるので、遊技者はその液晶表示装置４が少なくとも一度は遊技盤２から取り外されたことがあるものであると認識することができる。なお、画像制御基板２３を別の種類の遊技機用の画像制御基板に換える際には、液晶ユニットケース８５の後カバー８８のみを外せばよい。
【００５７】
以上説明したように、実施形態のパチンコ遊技機１は、遊技球が流下する遊技領域３が形成された遊技盤２と、遊技盤２が取り付けられる遊技機枠３０と、遊技領域３へ遊技球を発射する発射ハンドル装置（発射手段）３４とを備える。遊技機枠３０は、遊技領域３を視認可能とするガラス板（窓部）３５を備え、遊技盤２には、ガラス板（窓部）３５から表示画面４ａを視認できるよう液晶表示装置４が着脱可能に取り付けられている。そして、液晶表示装置４を着脱したことを示す痕跡表示手段（表示部）９８が、ガラス板（窓部）３５から視認可能に設けられ、遊技領域３を流下する遊技球が、痕跡表示手段（表示部）９８の前方を通過しないよう構成されている。
【００５８】
したがって、実施形態のパチンコ遊技機１によれば、痕跡表示手段（表示部）９８により液晶表示装置４が着脱されたものであることを遊技者に対して認識させることができるので、例えば長期にわたり使用されて画質の悪くなった液晶表示装置４となっていても、遊技者に対して不信感を与えるのを防ぐことができる。また、痕跡表示手段（表示部）９８の前方を遊技球が通過しないので、痕跡表示手段（表示部）９８が遊技球により隠れて遊技者から見難くなったり、痕跡表示手段（表示部）９８に遊技球が接して汚れたりするのを防ぐことができる。
【００５９】
また、実施形態のパチンコ遊技機１によれば、痕跡表示手段９８が、液晶表示装置４が取り外されたことの痕跡となる痕跡部（図１０（ｂ）参照、液晶表示装置４が取り外されると自然に形成されるもの）として機能するのみならず、液晶表示装置４が着脱されたことを遊技者に示す表示部として機能するため、痕跡表示手段９８とは別に、液晶表示装置４を着脱したことを示す表示部をシールなどにより設ける必要がない。
【００６０】
なお、実施形態のパチンコ遊技機１では、図１０（ａ）（ｂ）に示すように、ユニット側封止部１０２のある部分のみならず、突出部材１３３が収納された収納部１３０なども含めて、パチンコ遊技機１の正面から視認できる構成としたが、図１１（ａ）に示すように、飾り部材４１における上流側区画壁部４３の内部空間４３ａに確認用窓部１５０を設けて、ユニット側封止部１０２のある部分のみを正面から視認できるように構成してもよい。この場合、ユニット側封止部１０２を切除して液晶表示装置４を取り外すと、図１１（ｂ）に示すように、確認用窓部１５０から突出部材本体部１３６のみが確認できることとなり、確認用窓部１５０から見える部分が、液晶表示装置４を取り外したことを示す表示部となる。なお、確認用窓部１５０は、上流側区画壁部４３の内側に、一部分を透明とするセル（図１１（ａ）（ｂ）トーン部分参照）を張るなどして形成する。また、確認用窓部１５０から見える状態の違いによる意味を説明したシール１５１を、痕跡表示手段９８の近傍となる遊技機枠３０（ガラス扉枠３３）の前面に貼付して、確認用窓部１５０からユニット側封止部１０２が確認されれば、液晶表示装置４は取り外されたことのあるものではなく、確認用窓部１５０から突出部材本体部１３６が確認されれば、液晶表示装置４は取り外されたことのあるものであるということが遊技者にわかるようにすることが望ましい。
【００６１】
また、実施形態のパチンコ遊技機１では、痕跡表示手段９８を、液晶表示装置４を着脱したことを示す表示部として、パチンコ遊技機１の正面から視認可能に構成したが、痕跡表示手段９８をパチンコ遊技機１の正面から視認できないよう構成してもよい。この場合、液晶表示装置４を着脱したことを示す表示部を、遊技者から見えるように別途設ける構成とする。例えば、図１２（ａ）に示すように、液晶表示装置４を着脱したことを示す表示部として、前面に液晶交換と記載したシール１５２を、飾り部材４１における下流側区画壁部４４の内部空間４４ａに貼付する。また、図１２（ｂ）に示すように、透明の飾り部材４１における下流側区画壁部４４の内部空間４４ａの後方に位置する遊技盤２前面に、液晶交換と記載したセル１５３を貼って構成してもよい。この場合、遊技者は、シール１５２やセル１５３の有無を視認することで、液晶表示装置４が取り外されたことのあるものであるか否かを認識することが可能となる。なお、このように液晶交換と記載したシール１５２やセル１５３を貼る場合であっても、液晶ユニット８４に設けた痕跡表示手段９８の状態を確認してシール１５２やセル１５３を貼ることとすれば、一度も遊技盤２から取り外されたことのない液晶表示装置４（液晶ユニット８４）を使用するパチンコ遊技機に、液晶交換と記載したシール１５２やセル１５３を誤って貼ったり、遊技盤２から取り外されたことのある液晶表示装置４（液晶ユニット８４）を使用するパチンコ遊技機に、液晶交換と記載したシール１５２やセル１５３を貼り忘れたりするのを防ぐことができる。
【００６２】
また、液晶表示装置４を着脱したことを示す表示部として図１２に示すようにシール１５２やセル１５３を貼付する場合には、痕跡表示手段９８、すなわち、液晶表示装置４が取り外されたことの痕跡となる痕跡部を設けない構成としてもよい。
【００６３】
なお、液晶表示装置４を着脱したことを示す「表示部」は、液晶表示装置４が少なくとも一度は遊技盤２から取り外されたことがあるとわかるのであれば、どんな態様（文字やマーク）により構成してもよい。
【００６４】
また、特許請求の範囲における「表示装置」には、実施形態における液晶表示装置４のみならず、液晶ユニットケース８５が含まれるものとする。
【符号の説明】
【００６５】
１…パチンコ遊技機
２…遊技盤
３…遊技領域
４…液晶表示装置
４ａ…表示画面
３０…遊技機枠
３４…発射ハンドル装置（発射手段）
３５…ガラス板（窓部）
９８…痕跡表示手段（表示部および痕跡部）
１５２…シール（表示部）
１５３…セル（表示部）
【図１】
0005426631.tif 000002
【図２】
0005426631.tif 000003
【図３】
0005426631.tif 000004
【図４】
0005426631.tif 000005
【図５】
0005426631.tif 000006
【図６】
0005426631.tif 000007
【図７】
0005426631.tif 000008
【図８】
0005426631.tif 000009
【図９】
0005426631.tif 000010
【図１０】
0005426631.tif 000011
【図１１】
0005426631.tif 000012
【図１２】
0005426631.tif 000013